(57)【要約】【課題】新しい光の演出効果が得られる照明装置11を提供する。【解決手段】光源からの光をミラー22で反射させて照射する。ミラー22は、傾きの変化が許容された状態に支持する。ミラー駆動部31でミラー22の傾きを高速微細に変化させ、ミラー22からの反射光で任意の照射光形状を描く。音信号に連動してミラー駆動部31を制御することにより、音信号に対応して照射光形状を変化させる。【選択図】図１
2008276978.tif 000002
【特許請求の範囲】
【請求項１】
光源と；
傾きの変化が許容された状態に支持され、光源からの光を反射するミラーと；
ミラーの傾きを変化させるミラー駆動部と；
ミラーからの反射光で任意の照射光形状を描くようにミラー駆動部を高速微細に制御する制御部と；
を具備していることを特徴とする照明装置。
【請求項２】
ミラー駆動部は、ミラーの裏面に取り付けられた磁性体とこの磁性体を磁気作用によって駆動する駆動コイルとで構成された電磁石であって、ミラーの中心部を基準としてＸ軸方向の傾きを駆動するＸ軸用の電磁石と、ミラーの中心部を基準としてＹ軸方向の傾きを駆動するＹ軸用の電磁石とを備えている
ことを特徴とする請求項１記載の照明装置。
【請求項３】
Ｘ軸用の電磁石およびＹ軸用の電磁石は、それぞれ２個ずつ備え、各２個の電磁石の駆動コイルは逆向きに磁界を発生するように構成され、一方の電磁石の吸引作用と他方の電磁石の反発作用とでミラーの傾きを変化させる
ことを特徴とする請求項２記載の照明装置。
【請求項４】
制御部からの信号を増幅してＸ軸用の電磁石の駆動コイルとＹ軸用の電磁石の駆動コイルとに与える増幅回路を具備している
ことを特徴とする請求項２または３記載の照明装置。
【発明の詳細な説明】
【技術分野】
【０００１】
本発明は、新しい光の演出効果が得られる照明装置に関する。
【背景技術】
【０００２】
従来、例えばスポットライトなどの照明装置では、この照明装置から光を照射する向きを上下左右の各方向に自動制御可能とし、入力された目的の位置に対して光を照射するように、照明装置から光を照射する向きを自動的に調整するものがある（例えば、特許文献１参照。）。
【０００３】
また、照明装置からの照射する光の周辺部の一部を遮ることによって照射光の形状を円形以外に四角や三角などの形状に形成するものもある。
【特許文献１】特開平４−１９６００６号公報（第２頁、第１−２図）
【発明の開示】
【発明が解決しようとする課題】
【０００４】
上述のように、従来、照明装置から光を照射する向きを上下左右の各方向に自動制御可能とし、入力された目的の位置に対して光を照射するものがあるが、単に光を照射するだけで、光の演出効果が十分でない場合がある。
【０００５】
また、照明装置からの照射する光の周辺部の一部を遮ることによって照射光の形状を円形以外に四角や三角などの形状に形成するものもあるが、形成できる照射光の形状は四角や三角などといった単純な形状に限られ、光の演出効果が十分でない場合もある。
【０００６】
本発明は、このような点に鑑みなされたもので、新しい光の演出効果が得られる照明装置を提供することを目的とする。
【課題を解決するための手段】
【０００７】
請求項１記載の照明装置は、光源と；傾きの変化が許容された状態に支持され、光源からの光を反射するミラーと；ミラーの傾きを変化させるミラー駆動部と；ミラーからの反射光で任意の照射光形状を描くようにミラー駆動部を高速微細に制御する制御部と；を具備しているものである。
【０００８】
光源は、放電灯やハロゲンランプなどのランプ、発光ダイオード、レーザー光発振器などのいずれを用いてもよい。
【０００９】
ミラーは、例えば、ミラーの中心部を弾性体を介して支持することにより、この弾性体の変形でミラーの傾きの変化が許容された状態に支持される。
【００１０】
ミラー駆動部は、例えば、ミラーからの反射光で任意の照射光形状が描くように、ミラーの傾きを高速微細に変化させることが可能なもので、ミラーに取り付けられる永久磁石などの磁性体とこの磁性体に磁気作用をもたらす駆動コイルとで構成される電磁石などが適している。
【００１１】
制御部は、例えば、外部から信号を入力し、入力した信号に対応してミラーからの反射光で任意の照射光形状を描くようにミラー駆動部を高速微細に制御する。
【００１２】
ミラーからの反射光で描く任意の照射光形状は、特に限定されるものではなく、ミラーの傾きを高速微細に変化させることで描くことが可能な全ての照射光形状が含まれる。
【００１３】
そして、例えば外部信号と連動してミラーの傾きを変化させ、このミラーからの反射光で任意の照射光形状を描くことにより、新しい演出効果を得ることができる。
【００１４】
請求項２記載の照明装置は、請求項１記載の照明装置において、ミラー駆動部は、ミラーの裏面に取り付けられた磁性体とこの磁性体を磁気作用によって駆動する駆動コイルとで構成された電磁石であって、ミラーの中心部を基準としてＸ軸方向の傾きを駆動するＸ軸用の電磁石と、ミラーの中心部を基準としてＹ軸方向の傾きを駆動するＹ軸用の電磁石とを備えているものである。
【００１５】
Ｘ軸方向およびＹ軸方向は、それぞれミラーの光を反射する面に沿った方向で、ミラーの中心部に対して互いに直交する方向を示す。
【００１６】
磁性体としては、例えば、磁石が用いられる。
【００１７】
Ｘ軸用の電磁石およびＹ軸用の電磁石は、１個ずつでも複数個を用いてもよい。
【００１８】
そして、Ｘ軸用の電磁石およびＹ軸用の電磁石を用いることにより、ミラーの傾きを任意の方向に高速微細に変化させることができる。
【００１９】
請求項３記載の照明装置は、請求項２記載の照明装置において、Ｘ軸用の電磁石およびＹ軸用の電磁石は、それぞれ２個ずつ備え、各２個の電磁石の駆動コイルは逆向きに磁界を発生するように構成され、一方の電磁石の吸引作用と他方の電磁石の反発作用とでミラーの傾きを変化させるものである。
【００２０】
そして、Ｘ軸用およびＹ軸用の各２個の電磁石の吸引作用と反発作用との相乗作用により、ミラーの傾きを高速微細に変化させることができる。
【００２１】
請求項４記載の照明装置は、請求項２または３記載の照明装置において、制御部からの信号を増幅してＸ軸用の電磁石の駆動コイルとＹ軸用の電磁石の駆動コイルとに与える増幅回路を具備しているものである。
【００２２】
そして、電磁石に与える信号を増幅回路で増幅することにより、各電磁石を確実に動作させ、ミラーの傾きを高速微細に変化させることができる。
【発明の効果】
【００２３】
請求項１記載の照明装置によれば、例えば外部信号と連動してミラーの傾きを変化させ、このミラーからの反射光で任意の照射光形状を描くことにより、新しい演出効果を得ることができる。
【００２４】
請求項２記載の照明装置によれば、請求項１記載の照明装置の効果に加えて、Ｘ軸用の電磁石およびＹ軸用の電磁石を用いることにより、ミラーの傾きを任意の方向に高速微細に変化させることができる。
【００２５】
請求項３記載の照明装置によれば、請求項２記載の照明装置の効果に加えて、Ｘ軸用の電磁石およびＹ軸用の電磁石をそれぞれ２個ずつ用い、各２個の電磁石の駆動コイルが逆向きに磁界を発生するようにして、一方の電磁石の吸引作用と他方の電磁石の反発作用とでミラーの傾きを変化させることにより、ミラーの傾きを高速微細に変化させることができる。
【００２６】
請求項４記載の照明装置によれば、請求項２または３記載の照明装置の効果に加えて、制御部からの信号を増幅回路で増幅してＸ軸用の電磁石の駆動コイルとＹ軸用の電磁石の駆動コイルとに与えることにより、各電磁石を確実に動作させ、ミラーの傾きを高速微細に変化させることができる。
【発明を実施するための最良の形態】
【００２７】
以下、本発明の一実施の形態を、図面を参照して説明する。
【００２８】
図１は照明装置の構成図、図２は照明装置のブロック図、図３は照明装置の断面図である。
【００２９】
図３に示すように、照明装置11は、機体12を有し、この機体12内に、照明ユニット13とミラーユニット14とが配設されている。
【００３０】
照明ユニット13は、例えば放電灯やハロゲンランプなどの光源15、この光源15の光を反射させる反射体16、および光源15の光軸17上に配置されるレンズ18やフィルタなどが含まれる機構部19を有している。なお、この照明ユニット13は既存の照明器具を用いてもよい。
【００３１】
また、ミラーユニット14は、光軸17に対して４５度の角度に設置される第１のミラー21、およびこのミラー21で反射する光をさらに反射する位置に配置される第２のミラー22を有している。
【００３２】
ミラー21は、光軸17を中心に回転可能な回転部23上に支持されている。この回転部23は駆動部としてのモータ24によって回転駆動される。モータ24から回転部23への駆動力伝達にはギヤを用いた伝達機構が用いられている。
【００３３】
ミラー22は、ミラー支持部25に支持されている。このミラー支持部25は、回転部23上に設置された支持台26に対してミラー21の反射面に平行な揺動軸27で揺動可能に支持され、駆動部としてのモータ28によって揺動駆動される。モータ28からミラー支持部25への駆動力伝達にはプーリおよびベルトを用いた伝達機構が用いられている。
【００３４】
機体12の端面には、ミラー22で反射した光を外部に照射する照射開口29が形成されている。
【００３５】
次に、図１に示すように、ミラー22は、ミラー21に対向する一面を反射面22aとする円板状に形成され、この反射面22aに対して反対の裏面側において中心部が図示しないミラー軸でミラー支持部25に支持されている。このミラー22とミラー軸との間にはＯリングなどの図示しない弾性体が介在され、この弾性体の弾性変形によってミラー22の傾きの変化がミラー軸を中心とする３６０度全ての方向に許容された状態に支持されている。
【００３６】
このミラー22の裏面側には、ミラー22からの反射光で任意の照射光形状を描くようにミラー22の傾きを高速微細に変化させるミラー駆動部31が配設されている。このミラー駆動部31は、ミラー22の裏面に取り付けられた磁性体としての磁石32x，32yとミラー支持部25に取り付けられた駆動コイル33x，33yとで構成される複数の電磁石34x，34yを備えている。
【００３７】
電磁石としては、ミラー22の中心部を基準としてＸ軸方向の傾きを駆動するＸ軸用の２個の電磁石34xと、ミラー22の中心部を基準としてＹ軸方向の傾きを駆動するＹ軸用の２個の電磁石34yとを備えている。Ｘ軸用の２個の電磁石34xはミラー22の中心部を基準としてＸ軸方向の対称位置に配設され、Ｙ軸用の２個の電磁石34yはミラー22の中心部を基準としてＹ軸方向の対称位置に配設されている。これにより、ミラー22の傾きを任意の方向に高速微細に変化させることができる。
【００３８】
Ｘ軸用の２個の電磁石34xの駆動コイル33xは逆向きに磁界を発生するように構成され、一方の電磁石34xの吸引作用と他方の電磁石34xの反発作用とでミラー22の傾きを変化させるように構成されている。同様に、Ｙ軸用の２個の電磁石34yの駆動コイル33yは逆向きに磁界を発生するように構成され、一方の電磁石34yの吸引作用と他方の電磁石34yの反発作用とでミラー22の傾きを変化させるように構成されている。これにより、ミラー22の傾きを高速微細に変化させることができる。
【００３９】
また、制御部36からの信号を増幅回路37x，37yで増幅してＸ軸用の電磁石34xの駆動コイル33xとＹ軸用の電磁石34yの駆動コイル33yとに与える。これにより、各電磁石34x，34yを確実に動作させ、ミラー22の傾きを高速微細に変化させることができる。
【００４０】
図２に示すように、制御部36は、Ｓｉｎ波生成回路38からＳｉｎ波を入力し、このＳｉｎ波をスループット39、ゲート回路40x、増幅回路37xを通じてＸ軸の駆動コイル33xに出力し、Ｓｉｎ波の位相を９０°遅延させる遅延回路41、ゲート回路40y、増幅回路37yを通じてＹ軸の駆動コイル33yに出力する。
【００４１】
Ｘ軸の駆動コイル33xとＹ軸の駆動コイル33yとにＳｉｎ波の位相を９０°ずらした信号を入力させることにより、ミラー22の傾きが円を描くように高速微細に変化する。このＳｉｎ波の周波数を変えることにより、ミラー22が動く速度の調整ができる。
【００４２】
また、音源43からの音楽などの音信号を平滑回路44を通じて各ゲート回路40x，40yに入力し、このゲート回路40x，40yによってＳｉｎ波を音信号で変調することにより、音信号に同期してミラー22の傾きの動きを変化させる。音源43は、例えば各種メディアのプレーヤ、マイク、音信号の外部入力などが含まれる。
【００４３】
そして、照明装置11による光照射時には、光源15からの光が反射体16およびレンズ18を通じて各ミラー21，22で反射し、ミラー22で反射した反射光が機体12の照射開口29から外部に出射されて壁面、床面および天井面などの被照射面に照射される。モータ24を駆動することにより光軸17周りで光の照射方向を変化させ、また、モータ28を駆動することにより光の照射角度を変化させる。
【００４４】
このとき、制御部36の制御により、例えばミラー22の傾きが円を描くように高速微細に変化させていれば、被照射面に照射された照射光が円を描いているように残像で見える。
【００４５】
また、音楽などの音信号に連動してミラー22の高速微細な動きを変化させた場合には、例えば、音量によって照射光形状の大きさを変化させたり、音質によって照射光形状を別の形状に変化させるというように、照射光形状を変化させることができる。
【００４６】
したがって、ミラー22の傾きを高速微細に変化させることにより、このミラー22からの反射光で任意の照射光形状を描くことができ、単に光を照射するだけの従来に対して、新しい演出効果を得ることができる。
【００４７】
また、音楽などの音信号に連動してミラー22からの反射光で描く照射光形状を変化させることができ、音と光とによる演出効果を高めることができる。
【００４８】
なお、音信号以外に映像信号に連動してミラー22からの反射光で描く照射光形状を変化させてもよい。
【図面の簡単な説明】
【００４９】
【図１】本発明の一実施の形態を示す照明装置の構成図である。
【図２】同上照明装置のブロック図である。
【図３】同上照明装置の断面図である。
【符号の説明】
【００５０】
11    照明装置
15    光源
22    ミラー
31    ミラー駆動部
32x，32y    磁性体としての磁石
33x，33y    駆動コイル
34x，34y    電磁石
36    制御部
37x，37y    増幅回路
【図１】
2008276978.tif 000003
【図２】
2008276978.tif 000004
【図３】
2008276978.tif 000005